(57)【要約】【課題】手術を行う術者等に効率良くマイナスイオンを与えることが可能な医療機器を提供する。【解決手段】内視鏡光源装置１の筐体本体５内に配置された光源ランプ３等を空冷するファン２２による送風の通路付近に、マイナスイオン発生装置４で発生したマイナスイオンを排出する排出口３１を配置することにより、空冷のための送風を利用して効率良く発生したマイナスイオンを筐体外部の手術室側に放出できようにした。【選択図】  図２
2005034241.tif 000002
【特許請求の範囲】
【請求項１】
手術で使用するための所定機能を実行可能な機能手段を有する医療機器において、
前記医療機器の外部に連通する通風部に向けてマイナスイオンを放出するマイナスイオン放出手段を備えたことを特徴とする医療機器。
【請求項２】
手術で使用するための所定機能を実行可能な機能手段を格納するための外装を有する本体部と、
前記本体部の内部に設けられ、前記機能手段に電力を供給可能な電源手段または前記機能手段を空冷するための送気手段と、
前記送気手段で空冷する送風を外部に排気可能に前記外装に設けられた排気口と、
前記排気口から排気される送風の通風経路に向けてマイナスイオンを放出するマイナスイオン放出手段と、
を備えたことを特徴とする医療機器。
【請求項３】
所定の気体を送気可能な送気源と、
前記送気源に接続され、前記送気源で送気された気体を気腹可能に腹腔内に注入するための送気管路と、
前記送気管路に接続され、前記送気管路の内部に向けてマイナスイオンを放出するマイナスイオン放出手段と、
を備えたことを特徴とする医療機器。
【発明の詳細な説明】
【０００１】
【発明の属する技術分野】
本発明は、マイナスイオン発生装置を備えた医療機器に関する。
【０００２】
【従来の技術】
近年、空気に電子を付与してマイナスイオン（主にＯ２−）を発生するマイナスイオン発生装置が一般家庭にも普及してきている。例えば、特許文献１の特開平８−１４５５４５号公報には冷蔵庫にマイナスイオン発生装置を設けたものが開示されている。
【０００３】
マイナスイオンの生体に与える働きについては以下のような作用があると考えられている。
【０００４】
生体、特に人体においては、血液中にプラスイオンが多くなると血液が酸性化し、細胞の新陳代謝が低下することになるため、細胞内の老廃物や炭酸ガスが排出されにくくなる。この結果、自律神経や内分泌の働きが弱まり、ストレスがたまり、いらいらしたり、情緒不安定になる等、肉体的及び精神的な機能が低下する。
【０００５】
一方、マイナスイオンが多くなると血液は弱アルカリ性になり新陳代謝が活発になる。
【０００６】
また、マイナスイオンは人体に有害な活性酸素を中和し、細胞の活性化を促進させたり、精神を安定化させる等の疲労回復機能を向上させる。
【０００７】
また気体分子に電子を付与したマイナスイオンは、菌の増殖を抑制する機能があるので、手術部位の回復を早めることができるという効果もある。
【０００８】
さらにマイナスイオンを手術室のように手術終了後、床を水洗いするために湿度の高い所に放出すると、浮遊カビ菌を不活性化し、繁殖を抑制できる。
【０００９】
一方、従来の手術室は多くの医療機器、例えば、特許文献２の特開平６−２３０２９３号公報に開示されている光源装置等が配置され、長時間の手術が行われる。
【００１０】
【特許文献１】
特開平８−１４５５４５号公報
【００１１】
【特許文献２】
特開平６−２３０２９３号公報
【００１２】
【発明が解決しようとする課題】
従来例では、医療機器から発生するプラスイオンが手術室に充満する可能性がある。プラスイオンは細胞を老化する作用があるといわれるので、低減することが望ましい。
【００１３】
しかし、従来例ではプラスイオンを低減したり、マイナスイオンの発生を促進できなかった。
【００１４】
また、従来例では手術室で実際に手術が行われる場合に効率良くマイナスイオンを発生させることが困難であった。
【００１５】
（発明の目的）
本発明は、上記問題点に鑑みてなされたものであり、手術を行う術者等に効率良くマイナスイオンを与えることが可能な医療機器を提供することを目的とする。
【００１６】
また、手術室等に占める医療機器の配置空間をあまり増やすことなく、術者等に効率良くマイナスイオンを与えることが可能な医療機器を提供することを目的とする。
【００１７】
【課題を解決するための手段】
手術で使用するための所定機能を実行可能な機能手段を有する医療機器において、
前記医療機器の外部に連通する通風部に向けてマイナスイオンを放出するマイナスイオン放出手段を備えたことにより、手術を行う術者等に手術に使用する医療機器により効率良くマイナスイオンを与えることができるようにして、術者等が手術により疲労してもそれを回復させ易い好ましい環境条件を実現できるようにしている。
【００１８】
【発明の実施の形態】
以下、本発明の実施の形態を図面を参照して説明する。
【００１９】
（第１の実施の形態）
図１ないし図３は本発明の第１の実施の形態に係り、図１はマイナスイオン発生機能を備えた第１の実施の形態の内視鏡光源装置の分解斜視図、図２は天井板部を外した内視鏡光源装置の平面図、図３は図１のマイナスイオン発生装置の回路図を示す。本実施の形態は基本的には、通常の内視鏡光源装置にマイナスイオン発生装置を設けた構成にしたものである。
【００２０】
図１及び図２に示すように、本発明の医療装置の第１の実施の形態の内視鏡光源装置１は、内視鏡下で手術を行う場合に内視鏡に照明光を供給する機能を備えたものであり、その筐体２内に照明光を発生する機能を持つ光源ランプ３等と共に、マイナスイオンを発生するマイナスイオン発生装置４を内蔵している。
【００２１】
この筐体２は、底板部とこの底板部の両端を折り曲げて形成した正面板部５ａ及び裏面板部５ｂとを有する略コ字（Ｕ字）形状の筐体本体５と、この筐体本体５の開口する上面及び両側面を覆う略コ字形状の天井板部６とを有する。
【００２２】
この天井板部６の一方、例えば向かって左側の側面板部６ａにはランプ交換を行うための開口部７が形成され、この開口部７は、ねじで取り外し可能に固定されるランプ交換扉８により閉塞される。
【００２３】
筐体２内におけるランプ交換扉８の内側となる筐体２の前後方向の中央付近には、略コ字形状のランプハウス１０が底板部に取り付けられ、このランプハウス１０には光源ランプ３が取り付けられたランプホルダ９が開口部７側にスライド自在に装着されている。
【００２４】
このランプハウス１０の前面中央部付近には開口が設けてあり、ランプホルダ９を所定の装着位置に設定した状態では、この開口にランプホルダ９に反射鏡１１とともに取付けられた光源ランプ３が露呈し、この光源ランプ３を発光させることにより反射鏡１１で集光されて前方に出射できるようにしている。
【００２５】
図２に示すようにこの光源ランプ３の前方の照明光路上には絞り１２が配置され、さらにその前方側で、筐体本体５の正面板部５ａの例えば中央付近には内視鏡のライトガイドコネクタ１３が着脱自在で接続されるライトガイドコネクタ接続部１４が設けられており、光源ランプ３からライトガイドコネクタ１３の端面に絞り１２を経た照明光を供給できるようにしている。
【００２６】
また、筐体本体５の正面板部５ａにおけるライトガイドコネクタ接続部１４に隣接する例えば左右の位置には、電源スイッチ１５と絞り調整摘み１６とが設けてあり、絞り調整摘み１６を回動操作することにより絞り１２の開口量を調整できるようにしている。
【００２７】
図１に示すようにランプハウス１０の開口する上面には蓋板１８をネジで取付けることにより、ランプハウス１０の上面を閉塞することができる。この蓋板１８は、ランプハウス１０の上面の開口部分を閉塞し、更にランプハウス１０の前面より前方側にまで延出された延出部１９が形成され、光源ランプ３の点灯により、その輻射熱等で天井板部６が加熱されてしまうのを遮蔽する遮蔽板の機能をもつ。
【００２８】
光源ランプ３には、ランプハウス１０の後部に配置されたトランス２１を介して所定の電圧に変換されて駆動電源が供給されることにより、点灯する。
【００２９】
また、ランプハウス１０における両側方に開口する一方の開口（向かって右側の開口）に対向して光源ランプ３で発生した熱を空冷するために空気を吹き付ける放熱用（空冷用）の第１のファン２２が底板部に固定されている。
【００３０】
更にこの第１のファン２２に略隣接して空冷用の第２のファン２３が取付けられている。第１のファン２２は、ランプハウス１０の一方の側方の開口１０ａから他方の側方の開口側に向けて矢印ａで示すように、側方向けて送風し、光源ランプ３で発熱した反射鏡１１の裏面側などを冷却する。
【００３１】
この他方の開口側にはランプホルダ９の側方部９ａが対向し、送風された空気はこの側板部９ａに形成した通気口２４を経て更にその外側に対向するランプ交換扉８に設けた通気口（排気口）２５を経て筐体２の外部に排出される。通気口２４、２５は、例えば水平方向に延びるスリット状開口で形成されている。
【００３２】
また、筐体本体５における第１のファン２２の前側に隣接して配置された第２のファン２３は、ランプハウス１０の前面と、正面板部５ａ内面との間の空間を矢印ｂで示すように、一方の側方から他方の側方に送風して光源ランプ３の輻射熱等で発熱した反射鏡１１の前面凹部部分、正面板部５ａが光源ランプ３の輻射熱で加熱されるのを防止する遮蔽板２６等を冷却する。なお、この遮蔽板２６は、ランプハウス１０の前面と、正面板部５ａとの間に配置され、正面板部５ａが光源ランプ３の輻射熱で加熱されるのを防止する。
【００３３】
第２のファン２３と対向する他方の側部側には、蓋板１８の延出部１９に形成した側板部２７が対向し、送風された空気はこの側板部２７に形成した通気口２８を経てその外側に対向する側面板部６ａに設けた通気口（排気口）２９を経て筐体２の外部に排出される。
【００３４】
尚、第１及び第２のファイン２２、２３の外側に対向する一方の側面板部６ａにも通気口３０が設けてあり、この通気口３０を経て流入した空気が冷却に利用される。なお、図１では第２のファン２３に対向する側面部分の通気口３０が図示してあるが、第１のファン２２に対向する側面部分にも設けてある。
【００３５】
本実施の形態では更に、ランプハウス１０の後方のトランス２１に隣接するその左方にはマイナスイオンを発生するマイナスイオン発生装置４が設けられ、例えばその筐体の前面に設けたイオン排出口３１から排出されるマイナスイオンを、通気口２９を経て外部に送出できるようにしている。つまり、第１のファン２２により、空冷のための送風を行い、外部に連通する通風部付近に或いは通風部に向けてマイナスイオンを発生するマイナスイオン発生装置４を設けている。
【００３６】
このようにマイナスイオン発生装置４が設けられているので、第１のファン２２がランプハウス１０の一方の側方の開口１０ａから他方の側方の開口側に向けて矢印ａで示すように側方に送風して光源ランプ３で発熱した反射鏡１１の裏面側およびトランス２１を冷却するとともに上記マイナスイオン発生装置４の排出口３１から排出されるマイナスイオンを通気口２６，２９を通して、外部の手術室内に送風することができるようにしている。
【００３７】
また、本実施の形態では空冷に用いるファン２２、２３による送風を利用して、マイナスイオン発生装置４で発生したマイナスイオンを内視鏡光源装置１の筐体２の外部に排出するのにも利用している。
【００３８】
このため、マイナスイオン発生装置４のみを設けた場合には、発生したマイナスイオンをマイナスイオン発生装置４以外の部位に送風する等するファンが必要になるが、本実施の形態では不必要となり、低コスト化できると共に、その占有スペースを小さくすることもできる。
【００３９】
そして、このマイナスイオン発生装置４により発生したマイナスイオンを医療装置としての内視鏡光源装置１の外部の手術室に排出することにより、手術を行う術者および看護師等が呼吸する空気中にマイナスイオンを供給でき、術者および看護師等が長時間の手術等によりストレスがたまっても、それを速やかに解消ないしは軽減でき、また浮遊カビ菌の繁殖等を抑制することもできる。
【００４０】
図３は、マイナスイオン発生装置４の構成例を示す。
【００４１】
商用電源による（或いはさらにトランス２１を経た）交流電源３３の一端は抵抗Ｒ１及び整流用のダイオードＤ１を介して、昇圧トランス３４の１次コイル３５及びこれに直列のサイリスタ３６と、コンデンサ３７との並列回路（の一端）に接続される。この並列回路の他端はダイオードＤ２を介して交流電源３３の他端に接続され、サイリスタ３６がＯＮにされた場合には１次コイル３５とコンデンサ３７とによりＬＣ共振回路が形成されるようにしている。
【００４２】
また、昇圧トランス３４における磁性体をコアとして１次コイル３５と共に、１次コイル３５よりも例えば数十倍の巻線比で巻回して形成された２次コイル３８の一端は整流用のダイオードＤ３を介して正極電極３９ａに接続され、他端は陰極用電極３９ｂに接続されている。
【００４３】
そして、１次コイル３５に交流電流を流して２次コイル３８に誘起された高電圧により、以下のように広い面積にした陰極用電極３９ｂにより、両電極３９ａ、３９ｂ間における空気中の例えば酸素分子をマイナスイオン化できるようにしている。
【００４４】
陰極用電極３９ｂはその表面積が大きい例えば櫛を束ねた形状や凹凸部を多数形成した形状等にされ、これに対して正極用電極３９ａは例えば小さい表面積、例えば針形状に形成され、両電極３９ａ、３９ｂが接近して対向するように配置されている。
【００４５】
また、正極用電極３９ａは、その端部が例えば適度の半径を有するガラス殻４０内に密閉して配置されている。なお、ガラス殻４０の内部は真空化されてガラス殻４０の表面は正極用電極３９ａと電気的に高い絶縁状態に保持され、ガラス殻４０の外部の空気はプラスイオン化されないように設定されている。
【００４６】
また、抵抗Ｒ１とダイオードＤ１との接続点はコンデンサ３７と並列に抵抗Ｒ２が接続され、交流をサイリスタ３６のゲート側に供給できるようにして、一旦オンになったサイリスタ３６をオフにすることができるようにしている。
【００４７】
また、サイリスタ３６のゲート側には抵抗Ｒ３〜Ｒ５，コンデンサＣ２等が接続され、コンデンサＣ２の電荷の充放電を制御して、サイリスタ３６のゲートをオンにさせると共に、負の電圧を印加してオンになったサイリスタ３６をオフにさせることもできるようにして、１次コイル３５に交流電流を流すことができるようにしていいる。
【００４８】
そして、サイリスタ３６をオン／オフさせることにより、昇圧トランス３４における１次コイル３５にＬＣ共振回路による高周波電流を流し、２次コイル３８に数千ボルトの高電圧を誘起させ、この高電圧を整流して直流（脈流）にして正極用電極３９ａと陰極用電極３９ｂとに正極用電極３９ａが正の電圧となるようにして印加する。なお、ダイオードＤ３による整流出力をさらにコンデンサで平滑化するようにしても良い。
【００４９】
直流の高電圧が両電極３９ａ、３９ｂ、特に広い面積の陰極用電極３９ｂに印加されることにより、両電極３９ａ、３９ｂ間の空気（例えば酸素分子）をコロナ放電させることなく効率良くマイナスイオン化し、マイナスイオンを効率良く発生できるようにしている。
【００５０】
この場合、正極用電極３９ａに近い空気はプラスイオン化されることになるが、正極用電極３９ａの付近はガラス殻４０で覆われており、その内部の真空に近い状態の空気の一部がプラスイオン化されても、その空気は閉じこめられているので、外部には放出されないので悪影響を及ぼさない。
【００５１】
またガラス殻４０の外部ではガラス殻４０内の真空化により、正極用電極３９ａと十分に絶縁され、正極用電極３９ａ近傍の電界強度に比べて低くなるように抑えられるので、イオン化する機能が不十分となり、ガラス殻４０の外部の空気は殆どプラスイオン化がされないか、されても僅かなものになる。
【００５２】
これに対して、陰極用電極３９ｂは正極用電極３９ａに対向する部分が直接空気中に広い面積で露呈しているので陰極用電極３９ｂに蓄積されたマイナスイオンにより、空気が効率良くマイナスイオン化されるようになる。
【００５３】
なお、図３では、正極用電極３９ａを例えば１本の線状にした状態で示しているが、これに限定されるものでなく、複数本にしたものでも良い。
【００５４】
例えば陰極用電極３９ｂとより広く対向するように針を格子状に対向配置し、各針の先端を例えば図３と同様にガラス殻４０で覆う等しても良い。
【００５５】
また、本実施の形態では正極用電極３９ａにおける陰極用電極３９ｂに対向する部分をガラス殻４０で覆うようにするなどして、正極用電極３９ａ付近で仮にプラスイオンを発生させてもそのプラスイオンの排出を密閉により拘束できるので正極用電極３９ａの表面積を広くすることもできる。
【００５６】
なお、このマイナスイオン発生装置４は、例えば電源スイッチ１５のオン／オフに連動してオン／オフする図示しないスイッチが設けてある。
【００５７】
次に本実施の形態の作用を説明する。
【００５８】
手術室において、内視鏡を用いて内視鏡観察下の手術を行う場合、内視鏡に照明光を供給する機能を備えた内視鏡光源装置１が用いられる。
【００５９】
通常、内視鏡は、手術中は連続して使用され、そのために内視鏡光源装置１も連続して使用される。
【００６０】
本実施の形態では、通常の照明光を供給する機能の光源手段の他にマイナスイオンを効率良く発生するマイナスイオン発生手段を備えているので、内視鏡光源装置１の筐体２からその外部の手術室に対して、発生したマイナスイオンを通常の空気と共に送風して供給するようになる。
【００６１】
従って、手術室における術者及び看護師等のスタッフや、手術されている患者に対して、通常の状態よりもマイナスイオンが多く供給する。
【００６２】
マイナスイオンが多く供給されることにより、術者及び看護師等のスタッフや、手術されている患者のストレスを解消ないしは軽減できる。特に、スタッフは長時間の手術にも、疲労感が軽減されるため、よりスムーズな手術を行い易くなる。
【００６３】
また、本実施の形態では手術のために内視鏡光源装置１の電源を投入して照明光を供給できる状態に設定すると、これに連動してマイナスイオンの発生動作も行われるようになる。つまり、手術のために内視鏡光源装置１の使用時には、マイナスイオンの発生動作も連動するので、マイナスイオン発生装置４が独立している場合における手術に合わせてスイッチのオン／オフ操作を行わなくても良く、操作性を向上できる。
【００６４】
なお、マイナスイオン発生装置４を両電極３９ａ、３９ｂの間の部分を、例えば図２の送風する通路に沿って配置するようにし、例えばファン２２により送風された空気をマイナスイオン化した場合、そのマイナスイオンを送風する通路により移動させ、新しい空気が両電極３９ａ、３９ｂ間に供給されるような構造にしても良い。
【００６５】
また、マイナスイオン発生装置４の回路は図３に示した構成に限るものではなく他の電気回路を採用しても良い。
【００６６】
例えば、直流の低電圧から高電圧に変換するＤＣ−ＤＣコンバータを採用し、その出力端に例えば図３のような電極３９ａ、３９ｂ等を採用しても良い。
【００６７】
また、電気回路を採用するものに限定されるものでなく、例えば水流を使用したものであっても良い。
【００６８】
（第２の実施の形態）
次に本発明の第２の実施の形態を図４ないし図６を参照して説明する。図４は高周波電気メス装置の全体構成を示す斜視図、図５は電気メス装置本体の天井蓋部を取り外して内部構造を示した斜視図、図６は放熱手段が設けられた出力トランスを示す斜視図である。本実施の形態は、基本的には高周波電気メスによる処置を行う装置にマイナスイオン発生装置を設けたものである。
【００６９】
本実施の形態の高周波を通電して切開等の処置を行う高周波電気メス装置４１は、電源及び制御回路を内蔵した電気メス装置本体４２と、この電気メス装置本体４２に着脱自在に接続して使用される例えば脳外科等の微細な手術で使用される処置用電極としてのバイポーラピンセット４３Ａと、一般外科手術で使用されるスイッチ付き電極４３Ｂと、内視鏡下手術で使用されるフック電極４３Ｃと、患者に装着（接触）させて帰還電流を受ける対極板４４と、高周波電流出力のオン／オフを行うフットスイッチ４５とを備えて構成される。
【００７０】
また、図５に示すように電気メス装置本体４２には例えば第１の実施の形態で説明したマイナスイオン発生装置４が内蔵されている。
【００７１】
なお、処置用電極４３Ａ、４３Ｂ、４３Ｃは、用途に応じて使い分けられ、通常は選択されたものに対して出力端子から出力される。
【００７２】
電気メス装置本体４２の筐体４６は略コ字形状にされてフロントパネル４７ａが設けられた筐体本体４７と、この筐体本体４７の開口する上面及び両側面を覆うように取り付けられる略コ字形状の天井蓋部４８とからなる。
【００７３】
また、図４に示すように天井蓋部４８の一方の側面には通気口４９が設けてあり、また他方の側面におけるマイナスイオン発生装置４に対向する部分にも通気口４９が設けてある。
【００７４】
図５は図４の天井蓋部４８を取り外して電気メス装置本体４２の内部構造を示し、本実施の形態では高電圧信号と低電圧信号との間の絶縁を確保している。
【００７５】
電気メス装置本体４２の後ろ側で左右方向の略中央位置にパワーアンプ５１が配置され、その前方には回路素子等が搭載されたメイン回路基板５２が、筐体本体４７の底面に平行に配置され、さらにその前方のフロントパネル４７ａには複数の出力端子５３（図５では簡略化して２個示している）が配設されて構成されている。
【００７６】
メイン回路基板５２にはそれぞれ所定の機能を持つ複数の機能回路基板、具体的には、処置に適した波形の信号を発生する機能を持つ波形発生回路基板５４Ａ、波形発生回路基板と電気的に絶縁され、患者回路を構成する患者回路基板５４Ｂ、制御機能を持つ制御回路基板５４Ｃが、（図示しないコネクタ部で）立設するようにして接続されている。
【００７７】
また、パワーアンプ５１の出力は、このパワーアンプ５１の筐体上面に取り付けた（１次側と２次側とを絶縁した）出力トランス５５を介して高電圧の電気メス信号として患者回路５４Ｂに送られるが、この場合高電圧信号ライン５６を筐体本体４７の上部寄りを通すように配置されている。
【００７８】
一方、制御信号などが伝送される低電圧信号ラインを含む回路は患者回路５４Ｂの下部側を含めて、筐体本体４７の下側部分にまとめて配置した構成にして高電圧信号を扱う部分と低電圧信号を扱う部分とを離間してより確実に絶縁を行うようにしている。
【００７９】
電気メスによる処置を高出力で長時間行うと、出力トランス５５に大きな負担がかかり発熱を起こすが、これが過度になると絶縁の劣化や寿命が低下してしまう。
【００８０】
また、出力トランス５５の種類によっては発熱がその特性を変化させてしまう場合もあり、発熱によって出力値の変化が発生する恐れがある。近年では、装置の小型化が要求され、内部の回路をコンパクトに構成すると、熱が装置内部にこもってしまう傾向にある。
【００８１】
このため、出力トランスの放熱機能が不十分になり、出力トランスの寿命を低下させる恐れがある。そこで、本実施の形態では、コンパクトな構成で充分に出力トランス５５の放熱を向上することを可能とする放熱手段を設けている。
【００８２】
図６に示すように出力トランス５５は、出力トランス本体５７の両側部に放熱器５８を装着した構成にしている。この構成によれば、出力トランス５５のトランス本体５７で発生する熱を放熱器５８によって効率良く放熱して温度が上昇しないようにすることが出来る。
【００８３】
また図５に示すように、出力トランス５５が装置されているパワーアンプ５１に隣接する筐体４７における一方の側方側にファン５９が配置され、またこのパワーアンプ５１に隣接する他方の側方側にマイナスイオン発生装置４が設けられている。つまり、パワーアンプ５１を挟むようにその両側にファン５９及びマイナスイオン発生装置４が配置されている。
【００８４】
上記マイナスイオン発生装置４の上部にはイオン排出口３１が設けられ、上記ファン５９により電気メス装置本体４２の他方の側壁に設けられている通気口４９（図４は隠れた側面側で直接には見えない）を通して手術室内に送風することができるようにしている。
【００８５】
出力トランス５５、マイナスイオン発生装置４およびファン５９は筐体４７における横方向に略直線的に配置されており、ファン５９の送風は出力トランス５５を冷却するとともに、マイナスイオン発生装置４により発生されたマイナスイオンも送風される空気と共に、通気口４９を介してその外側の手術室に送風することができる。
【００８６】
したがってマイナスイオンは術者および看護師等に供給されるのでストレスか解消され、また浮遊カビ菌の繁殖を抑制することができる。
【００８７】
本実施の形態の高周波電気メス装置４１においても、第１の実施の形態の内視鏡光源装置１の場合とほぼ同様に、手術中頻繁に使用される物で、電気メスに高周波電流を供給し間欠的であるが長時間駆動されることになる。
【００８８】
従って、この高周波電気メス装置４１にマイナスイオン発生装置４を設けているので、間欠的かつ長時間マイナスイオンを排出することになり術者および看護師等に対して、ストレスを解消し長時間の手術をよりスムーズに行うことができる環境を提供できる。
【００８９】
（第３の実施の形態）
次に本発明の第３の実施の形態を図７及び図８を参照して説明する。図７は腹腔鏡外科手術に用いられる送気装置をその使用例で示す説明図、図９は送気装置の内部構成を示す。本実施の形態は腹腔等の生体の腔内に気体を供給するために送気する装置にマイナスイオン発生装置を設けたものである。
【００９０】
図８に示すように腹腔鏡外科手術を行う場合には、観察用の光学視管（腹腔内視鏡或いは腹腔鏡ともいう）６１を腹腔内に導くために、患者６２の腹部６２ａに刺入されるトラカール６３により光学視管６１はガイドされて挿入される。また、処置具を腹腔内の処置部に導くためにもさらに別のトラカールが採用される（図示略）。
【００９１】
また、光学視管６１により腹腔内を観察し易くしたり、処置具による処置をし易くするために腹腔内は本実施の形態の送気装置６０を構成する気腹装置６４により送気により気腹される。
【００９２】
この気腹装置６４は配管ホース６５を介して炭酸ガス供給源であるガスボンベ６６と低圧ガス供給配管６７とに接続される。
【００９３】
さらに、気腹装置６４は送気チューブ６８を介して光学視管６１が嵌入されたトラカール６３側に接続され、送気チューブ６８の途中には分岐管６９が設けられている。
【００９４】
この分岐管６９はマイナスイオン発生装置４で発生したマイナスイオンの排出口に接続されたマイナスイオン送気チューブ７０と接続されている。このマイナスイオン送気チューブ７０の途中にはポンプ７１が介挿されており、このポンプ７１によってマイナスイオン発生装置４で発生したマイナスイオンを強制的にマイナスイオン送気チューブ７１及び分岐管６９を介して送気チューブ６８に送気できるようにしている。
【００９５】
また、分被管６９にはガスボンベ６６からのガスがマイナスイオン送気チューブ７０側に入り込まないように逆止弁（図示省略）が設けられている。
【００９６】
さらにマイナスイオン発生装置４で発生したマイナスイオンを滅菌するためポンプ７１またはマイナスイオン送気チューブ７０にフィルタ（図示省略）を設けることもできる。
【００９７】
このような構成においてトラカール６３は患者６２の腹部６２ａに刺入され、トラカール６３を介して気腹装置６４側から送気チューブ６８を介して供給されるガスが腹腔内に注入されるとともにマイナスイオン発生装置４で発生されたマイナスイオンがマイナスイオン送気チューブ７０および送気チューブ６８を介して腹腔内に注入される。
【００９８】
図８に示すようにガスボンベ６６は、配管ホース６５を介して気腹装置６４に接続されており、ガス供給口金７３から気腹装置６４内部に上記ガスボンベ６６より供給されたガスが供給される。尚、図８においてはガスボンベ６６のみを図示しているが、低圧ガス供給配管６７からもガスを供給可能であることは勿論である。
【００９９】
気腹装置６４内における送気管路７４には、上記ガス供給口金７３側（上流側）から順にガス供給圧センサ７５、１次減圧器７６、２次減圧器としての電空比例弁７７、マニホールド７８が配設されている。
【０１００】
このマニホールド７８内には、電磁弁８０、管路圧センサ８１、８２、流量センサ８３が配設され、続く送気口金８４、送気チューブ６８を介して患者６２の腹腔内にガスを供給可能となっている。また、送気管路７４における離間した２２つの位置での流量を検出する流量センサ８３の間の送気管路７４に連通するように電磁弁８５が配設されている。また、気腹装置６４の前面には表示装置８６が設けてある。
【０１０１】
尚、上記ガス供給圧センサ７５、電空比例弁７７、電磁弁８０、管路圧センサ８１、８２、流量センサ８３、電磁弁８５、表示装置８６は制御部８７と電気的に接続されている。この表示装置８６は、各種の入力を行うスイッチ部と表示部とを備えており、表示部においては送気流量、腹腔圧等を表示できるようにしている。
【０１０２】
上記ガス供給センサ７５はガスボンベ６６等から供給される送気ガスの圧力を計測して送気ガス残量を術者に認知されるものである。ここで、このガス供給圧センサ７５の測定レンジは、例えば０〜１０ＭＰａである。
【０１０３】
また、１次減圧器７６は、ガスボンベ６６から供給されるガスの圧力を二段階で減圧するものである。即ち、詳細には、例えば第１段目減圧機構で１ＭＰａに減圧し、第２段目減圧機構で０．４ＭＰａに減圧する。
【０１０４】
上記電空比例弁７７は、制御部８７からの制御信号によってその弁開度が制御され、一時減圧器７６で０．４ＭＰａまで減圧されたガスの圧力を０〜２４Ｖの制御電圧で０〜１００ｍｍＨｇの範囲に減圧して送気流量を０〜５０Ｌ／ｍｉｎの範囲に調節する。
【０１０５】
上記マニホールド７８内の電磁弁８０は制御部８７に電気的に接続されており、その開閉動作は制御部８７により制御される。上記制御部８７は上記供給圧センサ７５により計測された供給圧、上記流力センサ８３により計測された瞬間流量、上記管路圧センサ８１、８２により計測された送気圧に関する測定値と設定値との比較結果に基づいて各部の動作を制御している。
【０１０６】
送気口金８４から減圧されたガスが送気チューブ６８に送り出されるので、マイナスイオン発生装置４からのマイナスイオンの圧力が低くても送気チューブ６８に送気される。従ってポンプ７１の送気圧は比較的低くても実施できる。
【０１０７】
尚、上記実施の形態では医療機器内の構成部品を冷却するためのファンでマイナスイオンを医療機器から排出するようになっているので手術室の室温が高いとマイナスイオンは温風となり不快感が先に立ちストレスが高まる虞があるので室温に応じ冷房／暖房装置を適宜利用しマイナスイオンの温度を適温にすることが必要となる。
【０１０８】
マイナスイオン発生装置４で送出されたマイナスイオンを上記処置具で処置した患部に照射することにより、菌の増殖を抑制し手術部位の回復を早められるという効果を有する。
【０１０９】
なお、本実施の形態において、腹腔内を十分に気腹した後には、マイナスイオン発生装置４で発生したマイナスイオンを周囲の外気（手術室）側に排出するようにしても良い。
【０１１０】
例えば、ポンプ７１と分岐管６９との間に管路を切り替える手段を設け、腹腔内を十分に気腹した後には、この手段により分岐管６９とは遮断しかつ外部と連通する状態にしてさらにポンプ７１を逆回転して分岐管６９側に送気する状態からこれと逆のナイナスイオン発生装置４側に送気し、マイナスイオン発生装置４に設けたイオン排出口と反対側に設けた通気口を経て外部に排出させるようにしても良い。
【０１１１】
このようにすると、他の実施の形態と同様の効果も有することになる。
【０１１２】
［付記］
以上詳述したような本発明の前記実施の形態によれば、以下の如き構成を有するといえる。
【０１１３】
１．手術室で使用する医療機器にマイナスイオン発生装置を設けたことを特徴とするマイナスイオン発生装置付医療機器。
【０１１４】
２．筐体内部に光源ランプを収納し、内視鏡のライトガイドに前記光源ランプによる照明光を供給する内視鏡光源装置において、
前記内視鏡光源装置内にマイナスイオン発生装置を設けたことを特徴とするマイナスイオン発生装置付内視鏡光源装置。
【０１１５】
３．前記マイナスイオン発生装置から発生するマイナスイオンを、前記内視鏡光源装置内を冷却するファンで排出するようにしたことを特徴とする付記項２に記載のマイナスイオン発生装置付内視鏡光源装置。
【０１１６】
４．複数のファンを設け、これら複数のファンの内、前記マイナスイオンを排出するファンは、前記筐体内部の冷却を兼ねていることを特徴とする付記項２に記載のマイナスイオン発生装置付内視鏡光源装置。
【０１１７】
５．筐体内部にエネルギー処置具を制御／駆動する装置が収納されたエネルギー処置具駆動装置において、
前記筐体内部にマイナスイオン発生装置を設けたことを特徴とするマイナスイオン発生装置付エネルギー処置具駆動装置。
【０１１８】
６．腹腔等の生体の腔内に気体を供給するための送気装置と、
前記送気装置で減圧したガスを体腔内に送気するガス送気手段と、
マイナスイオンを発生させるマイナスイオン発生装置と、
前記マイナスイオン発生装置で発生したマイナスイオンを前記送気手段を介して体腔内に送気するマイナスイオン送気手段と、
を具備したことを特徴とするマイナスイオン発生装置付医療機器。
【０１１９】
７．請求項１、２，３において、前記マイナスイオン放出手段は高電圧により対となる電極付近の空気をイオン化してマイナスイオンを放出する。
【０１２０】
８．付記７において、前記マイナスイオン放出手段は正極側の電極付近でプラスにイオン化するプラスイオンを拘束し、陰極付近でイオン化するマイナスイオンを放出する。
【０１２１】
【発明の効果】
以上説明したように本発明によれば、手術で使用される医療機器を動作状態に設定することにより、マイナスイオンが発生し、手術室に放出するようになるので、術者などの疲労感を軽減できると共に、良好な操作性も確保できる。
【図面の簡単な説明】
【図１】本発明の第１の実施の形態のマイナスイオン発生機能を備えた内視鏡光源装置の分解斜視図。
【図２】内視鏡光源装置の平面図。
【図３】図１のマイナスイオン発生装置の回路図。
【図４】本発明の第２の実施の形態のマイナスイオン発生機能を備えた高周波電気メス装置を示す斜視図。
【図５】天井蓋部を取り外した電気メス装置本体の内部構造を示す斜視図。
【図６】放熱手段が設けられた出力トランスを示す斜視図。
【図７】腹腔鏡外科手術に用いられる送気装置をその使用例で示す説明図。
【図８】送気装置の内部構成を示す構成説明図。
【符号の説明】
１…内視鏡光源装置
２…筐体
３…光源ランプ
４…マイナスイオン発生装置
５…筐体本体
６…天井板部
７…開口部
８…ランプ交換扉
９…ランプホルダ
１０…ランプハウス
１２…絞り
１３…ライトガイドコネクタ
１４…ライトガイドコネクタ接続部
１５…電源スイッチ
２１…トランス
２２…第１のファン
２３…第２のファン
２４、２５、２８、２９、３０…通気口
３１…イオン排出口
【図１】
2005034241.tif 000003
【図２】
2005034241.tif 000004
【図３】
2005034241.tif 000005
【図４】
2005034241.tif 000006
【図５】
2005034241.tif 000007
【図６】
2005034241.tif 000008
【図７】
2005034241.tif 000009
【図８】
2005034241.tif 000010